【手続補正書】
【提出日】平成18年1月11日(2006.1.11)
【手続補正１】
【補正対象書類名】特許請求の範囲
【補正対象項目名】請求項３
【補正方法】変更
【補正の内容】
【請求項３】
第１の電源に接続された負荷回路と、
前記負荷回路に共通に接続された第１及び第２の差動対と、
第１及び第２の差動対にそれぞれ電流を供給する第１及び第２の電流源と、
第１及び第２の差動対の共通接続された出力を受けて出力端子を駆動する増幅素子と、
前記第１の差動対の一方の入力と入力端子間に接続された第１のスイッチと、
前記第１の差動対の前記一方の入力と出力端子間に接続された第２のスイッチと、
前記第２の差動対の一方の入力と前記出力端子間に接続された第３のスイッチと、
前記第２の差動対の前記一方の入力に接続された容量素子と、
を備え、
前記第１の差動対の他方の入力と前記第２の差動対の他方の入力はともに前記入力端子に接続され、さらに、
前記第１の差動対と第２の電源間に、前記第１の電流源と直列形態に接続された第４のスイッチと、
を備えている、ことを特徴とする差動増幅回路。
【手続補正２】
【補正対象書類名】特許請求の範囲
【補正対象項目名】請求項４
【補正方法】変更
【補正の内容】
【請求項４】
前記第２の差動対と第２の電源間に、前記第２の電流源と直列形態に接続された第５のスイッチと、
を備えている、ことを特徴とする請求項３記載の差動増幅回路。
【手続補正３】
【補正対象書類名】特許請求の範囲
【補正対象項目名】請求項５
【補正方法】変更
【補正の内容】
【請求項５】
データ出力期間が、第１の期間と第２の期間からなり、
前記第１の期間に、前記第１及び第３のスイッチがオン、前記第２のスイッチがオフとされ、
前記第２の期間に、前記第１及び第３のスイッチがオフ、前記第２のスイッチがオンとされ、
前記第４のスイッチは、前記第１の期間の開始の所定期間オフとされたのちオンとされる、ことを特徴とする請求項３記載の差動増幅回路。
【手続補正４】
【補正対象書類名】特許請求の範囲
【補正対象項目名】請求項６
【補正方法】変更
【補正の内容】
【請求項６】
第１の電源に接続された負荷回路と、
前記負荷回路に共通に接続された第１及び第２の差動対と、
第１及び第２の差動対にそれぞれ電流を供給する第１及び第２の電流源と、
第１及び第２の差動対の共通接続された出力を受けて出力端子を駆動する増幅素子と、
前記第１の差動対の一方の入力と入力端子間に接続された第１のスイッチと、
前記第１の差動対の前記一方の入力と出力端子間に接続された第２のスイッチと、
前記第２の差動対の一方の入力と前記出力端子間に接続された第３のスイッチと、
前記第２の差動対の前記一方の入力に接続された容量素子と、
を備え、
前記第１の差動対の他方の入力は前記入力端子に接続され、
前記第２の差動対の他方の入力は基準電圧入力端子に接続され、さらに、
前記第１の差動対と第２の電源間に、前記第１の電流源と直列形態に接続された第４のスイッチと、
前記第２の差動対と前記第２の電源間に、前記第２の電流源と直列形態に接続された第５のスイッチと、
を備えている、ことを特徴とする差動増幅回路。
【手続補正５】
【補正対象書類名】特許請求の範囲
【補正対象項目名】請求項８
【補正方法】変更
【補正の内容】
【請求項８】
第１の電源に接続された負荷回路と、
前記負荷回路に共通に接続された第１及び第２の差動対と、
第１及び第２の差動対にそれぞれ電流を供給する第１及び第２の電流源と、
第１及び第２の差動対の共通接続された出力を受けて出力端子を駆動する増幅素子と、
前記第１の差動対の一方の入力と入力端子間に接続された第１のスイッチと、
前記第１の差動対の前記一方の入力と出力端子間に接続された第２のスイッチと、
前記第２の差動対の一方の入力と前記出力端子間に接続された第３のスイッチと、
前記第２の差動対の前記一方の入力に接続された容量素子と、
を備え、
前記第１の差動対の他方の入力と前記第２の差動対の他方の入力は、ともに前記入力端子に接続され、さらに、
前記第２の差動対と第２の電源間に、第３の電流源と第４のスイッチとからなる直列回路が、前記第２の電流源と並列形態に接続されている、ことを特徴とする差動増幅回路。
【手続補正６】
【補正対象書類名】特許請求の範囲
【補正対象項目名】請求項９
【補正方法】変更
【補正の内容】
【請求項９】
データ出力期間が、第１の期間と第２の期間からなり、
前記第１の期間に、前記第１及び第３のスイッチがオン、前記第２のスイッチがオフとされ、
前記第２の期間に、前記第１及び第３のスイッチがオフ、前記第２のスイッチがオンとされ、
前記第４のスイッチは、前記第１の期間の開始の所定期間オンとされたのちオフとされる、ことを特徴とする請求項８記載の差動増幅回路。
【手続補正７】
【補正対象書類名】特許請求の範囲
【補正対象項目名】請求項１０
【補正方法】変更
【補正の内容】
【請求項１０】
第１の電源に接続された負荷回路と、
前記負荷回路に共通に接続された第１及び第２の差動対と、
第１及び第２の差動対にそれぞれ電流を供給する第１及び第２の電流源と、
第１及び第２の差動対の共通接続された出力を受けて出力端子を駆動する増幅素子と、
前記第１の差動対の一方の入力と入力端子間に接続された第１のスイッチと、
前記第１の差動対の前記一方の入力と出力端子間に接続された第２のスイッチと、
前記第２の差動対の一方の入力と前記出力端子間に接続された第３のスイッチと、
前記第２の差動対の前記一方の入力に接続された容量素子と、
を備え、
前記第１の差動対の他方の入力は前記入力端子に接続され、
前記第２の差動対の他方の入力は基準電圧入力端子に接続され、さらに、
前記第１の差動対と前記第２の電源間に、第３の電流源と第４のスイッチとからなる直列回路が、前記第１の電流源と並列形態に接続され、
前記第２の差動対と第２の電源間に、第４の電流源と第５のスイッチとからなる直列回路が、前記第２の電流源と並列形態に接続されている、ことを特徴とする差動増幅回路。
【手続補正８】
【補正対象書類名】特許請求の範囲
【補正対象項目名】請求項１４
【補正方法】変更
【補正の内容】
【請求項１４】
第１の電源に接続された負荷回路と、
第１及び第２の差動対と、
第１及び第２の差動対にそれぞれ電流を供給する第１及び第２の電流源と、
前記負荷回路の出力を受けて出力端子を駆動する増幅素子と、
前記第１の差動対の一方の入力と入力端子間に接続された第１のスイッチと、
前記第１の差動対の前記一方の入力と出力端子間に接続された第２のスイッチと、
前記第２の差動対の一方の入力と前記出力端子間に接続された第３のスイッチと、
前記第２の差動対の前記一方の入力に接続された容量素子と、
を備え、
前記第１の差動対の他方の入力は前記入力端子に接続され、
前記第２の差動対の他方の入力は基準電圧入力端子に接続され、さらに、
前記第１の差動対の出力対と前記負荷回路間の導通／遮断を制御する第１のスイッチ群と、
前記第２の差動対の出力対と前記負荷回路間の導通／遮断を制御する第２のスイッチ群と、
を備えている、ことを特徴とする差動増幅回路。
【手続補正９】
【補正対象書類名】明細書
【補正対象項目名】０００８
【補正方法】変更
【補正の内容】
【０００８】
図１３は、増幅回路を構成するトランジスタの素子ばらつきに起因する出力オフセットを抑制する機能を備えたオフセットキャンセルアンプの構成を示す図である。図１３を参照すると、この回路は、共通接続されたソースが定電流源Ｍ８の一端に接続された差動対を構成するＮＭＯＳトランジスタＭ３、Ｍ４と、共通接続されたソースが定電流源Ｍ９の一端に接続された差動対を構成するＮＭＯＳトランジスタＭ５、Ｍ６と、を有し、ＮＭＯＳトランジスタＭ３、Ｍ５のドレイン同士は接続され、ＰＭＯＳトランジスタＭ１のドレインに接続され、ＮＭＯＳトランジスタＭ４、Ｍ６のドレイン同士は接続され、ＰＭＯＳトランジスタＭ２のドレインとゲートの接続点に接続され、ＰＭＯＳトランジスタＭ１、Ｍ２のソースは高位側電源ＶＤＤに接続され、ゲートが共通接続されている。ＰＭＯＳトランジスタＭ１、Ｍ２は、差動対（Ｍ３、Ｍ４）と差動対（Ｍ５、Ｍ６）の共通の能動負荷をなすカレントミラーを構成している。ＮＭＯＳトランジスタＭ５とＰＭＯＳトランジスタＭ１の接続点は、ソースが電源ＶＤＤに接続され、ドレインが出力端子２に接続されたＰＭＯＳトランジスタＭ７のゲートに接続され、出力端子２と低位側電源ＶＳＳ間には、電流源Ｍ１０が接続されている。ＮＭＯＳトランジスタＭ３、Ｍ５のゲートは、入力端子１に接続され、ＮＭＯＳトランジスタＭ６のゲートは、スイッチＳＷ１を介して入力端子１に接続され、スイッチＳＷ２を介して出力端子２に接続されている。ＮＭＯＳトランジスタＭ４のゲートは、一端が低位側電源ＶＳＳに接続された容量Ｃ１の他端に接続され、ＮＭＯＳトランジスタＭ４のゲートと出力端子２間にはスイッチＳＷ３が接続されている。
【手続補正１０】
【補正対象書類名】図面
【補正対象項目名】図７
【補正方法】変更
【補正の内容】
【図７】
2005286616.tif 000001
【手続補正１１】
【補正対象書類名】図面
【補正対象項目名】図８
【補正方法】変更
【補正の内容】
【図８】
2005286616.tif 000002
【手続補正１２】
【補正対象書類名】図面
【補正対象項目名】図９
【補正方法】変更
【補正の内容】
【図９】
2005286616.tif 000003